(57)【特許請求の範囲】
【請求項１】
捲き線部間に玉を受入れ可能なコイルバネと、このコイルバネの内部に挿入された回転軸とからなる回転体であって、前記回転軸を、モータ軸に取り付けられる基端側軸部と、これに接続される先端側軸部とからなるものとして、これらの軸部をスナップフィット機構により係合させたうえに、前記コイルバネを前記基端側軸部に形成された鍔部と前記先端側軸部に形成された鍔部との間に圧縮状態で取付けることにより、前記基端側軸部と前記先端側軸部とを引張方向に付勢したことを特徴とするパチンコ機の玉払出用回転体。
【請求項２】
捲き線部の間隔を、８ｍｍ以上〜２２ｍｍ未満とした請求項１に記載のパチンコ機の玉払出用回転体。
【請求項３】
コイルバネの外半径Ｒｓと回転軸の外半径Ｒｊとの差ΔＲを玉の半径Ｒｂに対して、Ｒｂ／４＜ΔＲ＜Ｒｂとして、捲き線部間に取り込まれた玉をコイルバネの外周から突出するようにした請求項１又は２に記載のパチンコ機の玉払出用回転体。
【発明の詳細な説明】
【技術分野】
【０００１】
本発明は、玉通路樋から送り込まれた玉を賞玉として一玉ずつ払い出すためのパチンコ機の玉払出装置に用いる玉払出用回転体に関するものである。
【背景技術】
【０００２】
パチンコ機の裏面には、機構盤が設けられ、この機構盤の上部には賞玉を貯留するための玉タンクが配設されている。玉タンクの下方には玉通路樋が接続され、玉通路樋は、玉を計数して払い出す玉払出装置を備えた玉誘導路に接続されている。従来の玉払出装置として、例えば特許文献１に示すようなスクリューを用いたものが知られている。このものにおいては、案内通路を流下する玉をコイルバネの巻き線部により保持して一玉ずつ送り出す構造となっている。
【０００３】
また、特許文献２には螺旋コイルを使用したパチンコ玉揚送装置が開示されている。しかしながらこれらのコイルは片持ちの構造であったために、ピッチが安定しない、出力軸とコイルバネとが同軸とならないという欠点のために玉の送り出しの安定性に欠けるという問題点があった。また構造が複雑で安価に製造できない、耐久性に劣るという問題もあった。
【先行技術文献】
【特許文献】
【０００４】
【特許文献１】特開平６−１７００５１号公報    （図１）
【特許文献２】特開平１０−５２５５３号公報    （図１）
【発明の概要】
【発明が解決しようとする課題】
【０００５】
本発明は、上記した従来の問題点に鑑み、安価に製作できて耐久性に優れ、且つ安定して玉を払い出すことができる遊技機の玉払出用回転体を提供することを課題とする。
【課題を解決するための手段】
【０００６】
上記の課題を解決するためになされた本発明に係るパチンコ機の玉払出用回転体は、捲き線部間に玉を受入れ可能なコイルバネと、このコイルバネの内部に挿入された回転軸とからなる回転体であって、前記回転軸を、モータ軸に取り付けられる基端側軸部と、これに接続される先端側軸部とからなるものとして、これらの軸部をスナップフィット機構により係合させたうえに、前記コイルバネを前記基端側軸部に形成された鍔部と前記先端側軸部に形成された鍔部との間に圧縮状態で取付けることにより、前記基端側軸部と前記先端側軸部とを引張方向に付勢したことを特徴とするものである。
【０００７】
【０００８】
なお、捲き線部の間隔を、８ｍｍ以上〜２２ｍｍ未満とするのが望ましく、また、コイルバネの外半径Ｒｓと回転軸の外半径Ｒｊとの差ΔＲを玉の半径Ｒｂに対して、Ｒｂ／４＜ΔＲ＜Ｒｂとして、捲き線部間に取り込まれた玉をコイルバネの外周から突出させるのが望ましい。
【発明の効果】
【０００９】
請求項１に係る発明は、玉搬送用の回転体を金属製のコイルバネと樹脂製の回転軸とからなるものとしたので、安価にして且つ耐久性に優れた回転体を提供することができる。また、コイルバネは、細い金属線を捲回して作るので、隣の巻き線部との間隔を小さく取ることができ、玉送り出し間隔を小さくすることによって高速で玉を払い出すことができる。
請求項２に係る発明は、捲き線部の間に玉を受け入れて横方向に送り出すことができる。
請求項３に係る発明は、コイルバネの捲き線部間に入り込む玉の深さを最適に取ったので、玉に玉を横方向に押し出す力を効果的に付与することができる。
【図面の簡単な説明】
【００１０】
【図１】本発明に係る回転体の正面図である。
【図２】回転体を用いた玉払出装置の正面断面図である。
【図３】玉払出装置の側面断面図である。
【図４】玉払出装置の平面断面図である。
【図５】筐体の内部構造を示す断面図である。
【発明を実施するための形態】
【００１１】
以下に、本発明の実施形態に付いて説明する。
図１は、本発明に係る回転体を示す図であって、７は合成樹脂製の回転軸、８は鉄鋼、アルミニウム等の金属からなるコイルバネである。
【００１２】
回転軸７は、モータ（図示していない）の回転軸に取り付けられる基端側軸部７１と、これに接続された先端側軸部７２とからなる。先端側軸部７２は一端にスナップフィット部７３を有し、このスナップフィット部７３が基端側軸部７１に形成した小径部７４を噛み込んで両者が一体に結合されている。この回転軸７がコイルバネ８の内部に挿入されている。コイルバネ８は圧縮コイルバネであって、コイルバネ８の一端は基端側軸部７１の鍔部７５に掛止され、他端は先端側軸部７２の鍔部７６により押圧されている。鍔部７５への掛止により、玉の抵抗によりコイルバネ８が回転軸７と別個に回転するのを防止できる。また、コイルバネ８の弾発力により鍔部７５、７６間が拡大される方向に付勢されて、基端側軸部７１と先端側軸部７２には引っ張り力が作用しているので、基端側軸部７１と先端側軸部７２とコイルバネ８とがスクリュー構造を有する一体の回転体５として、強固に組み付けられている。
【００１３】
コイルバネ８の捲き線部間の間隔は８ｍｍ以上〜２２ｍｍ未満としてあるので、一個の玉が捲き線部間に入り込むことができる。玉直径は通常１１ｍｍであるので、捲き線部間に２個の玉が入ることができない。ここで、コイルバネ８の外半径Ｒｓと回転軸７の外半径Ｒｊとの差ΔＲ（＝Ｒｓ−Ｒｊ）を玉の半径Ｒｂに対して、Ｒｂ／４＜ΔＲ＜Ｒｂとしてあるので、回転軸７の外周面５７とコイルバネ８の捲き線部とにより玉を保持して送出することができる。ΔＲがＲｂ／４以下であるときには、コイルバネ８が玉の下側に潜り込みやすいので玉を効果的に横方向に押圧することができない。ΔＲがＲｂ以上であるときには、コイルバネ８が玉を上方から押さえ付けようとする力が玉に働くので、コイルバネ８が玉を上方に持ち上げて玉の塊を撹拌することによる玉詰まり防止効果が弱まるからである。
【００１４】
以下に、上記した回転体が使用された玉払出装置を、図２−４に基づいて説明する。
玉払出装置４は、モータＭにより回転される回転体５と、回転体５を水平状態に支承する筐体６とからなる。
【００１５】
筐体６は、上部に玉通路樋３からの玉を取り込む玉入り口６１と、これに連通する玉導入路６８を有し、下部には玉計数センサー６２を備えた玉払出通路６３が筐体６の一方の側面に寄せて形成されている（図３）。図２中３１は山形突状であって、その両側が玉のガイド溝３２に形成されている。また６４は、メンテナンス等でパチンコ機内の玉を抜くときの玉抜き通路であって、遊技中は用いられない。玉を抜くときはモータＭは逆回転される。
【００１６】
玉入り口６１は、幅、高さとも玉２個分超〜３個分未満としてあって、二個の玉による玉詰まりを防止してある。玉導入路６８は、横断面形状が正方形乃至矩形であって、その横幅、高さ（又は縦幅）は玉入り口６１と同じく玉２個分超〜３個分未満として玉詰まりを防止してある。玉払出通路６３と玉抜き通路６４の間には、回転体５が介装されている。回転体５は基端側がモータ軸Ｍ１に接続され、先端側が軸受け９に支承されている。
【００１７】
前記したように、鍔部７５、７６の間隔は一定でありこの間にコイルバネが懸架されているので、コイルバネの全長は一定に規制されている。コイルバネ８の引っ張り力は鍔部７５、７６間にのみ作用するので、モータ軸Ｍ１や軸受け９にスラスト方向の力が掛かることがない。よって、これらにコイルバネ８の負荷が掛かることがないので、回転軸７を円滑に回転させることができて、玉払出装置の耐久性を向上させることができる。
【００１８】
また、玉払出通路６３と玉抜き通路６４の間で回転軸７の左右の両側には、玉載せ棚６５が設けてあって、玉入り口６１から取り込まれた玉がこの棚６５の上に落下して一時仮保持される。玉払出通路６３の上部には凹状壁面６６が形成してあって、搬送されてきた玉をこの凹状壁面６６に衝突させて下方に落下させるように構成してある（図５）。
【００１９】
以上のように構成されたものにおいて、玉は玉通路樋３を流下して２段２列などの非整然となった状態で流下して、玉入り口６１から筐体６内に流れ込み、玉導入路６３を通ってコイルバネ８の捲き線部間に入り込む。入り込んだ玉は回転軸７の左右の玉載せ台６５上に落下して螺旋構造のコイルバネ８により玉払出通路６３の方向に搬送される（図２）。回転体５のうえに多数の玉が乗っかっていても、回転するコイルバネ８には上方に乗っている玉を押し上げたりして撹拌するので、玉導入路６８に玉が詰まったりすることはない。
【００２０】
回転軸７の左右の玉載せ台６５上の玉は捲き線が螺旋状に巻かれているため、玉は位置をずらして横方向に搬送されるので、時間がずれて凹状壁面６６に衝突し、左右の玉載せ台６５から交互に玉払出通路６３に落下する。落下した玉は一玉ずつタイミングをずらして払い出されるので、計数センサー６２は通過した玉の数を正確に計数し、所定数に達したら回転体５の回転が停止されて玉の払出が終了する。
【００２１】
【符号の説明】
【００２２】
７  回転軸、８  コイルバネ、７１  基端側軸部、７２  先端側軸部、７３  スナップフィット、７４  小径部
【図１】
0005467412.tif 000002
【図２】
0005467412.tif 000003
【図３】
0005467412.tif 000004
【図４】
0005467412.tif 000005
【図５】
0005467412.tif 000006